(57)【要約】【課題】種々の太さの線を選択的に描くことができ、しかもインクフォローがよく、太い線を長く描いても、線ムラを起こすことのないマーキングペン用ペン芯を提供することを課題とする。【解決手段】下面を開口した中空状にて任意形状に焼結成形した中空焼結部４を設け、前記中空焼結部４の中空部４ａに、繊維芯である中継芯５の上部を嵌入して成る。インク供給方式が中綿式の場合は、前記中継芯５の下部がインク中綿６内に埋入され、バルブ方式の場合は、前記中継芯５の下部がバルブ機構の弁ケース内に臨むようにされる。このペン芯１によれば、インクは、インク中綿６又はインクを貯溜する弁ケース内から中継芯５に吸収され、中継芯５から筆記部である中空焼結部４に送られるが、中空焼結部４は全体的に薄手となるため、インクフォローがよく、線ムラが起こりにくくなる。【選択図】        図３
2004155148.tif 000002
【特許請求の範囲】
【請求項１】
下面を開口した中空状にて任意形状に焼結成形した中空焼結部を設け、前記中空焼結部の中空部に、繊維芯である中継芯の上部を嵌入して成るマーキングペン用ペン芯。
【請求項２】
インク供給方式が中綿式であって、前記中継芯の下部が中綿に埋入される請求項１に記載のマーキングペン用ペン芯。
【請求項３】
インク供給方式がバルブ式であって、前記中継芯の下部がバルブ機構の弁ケース内に臨む請求項１に記載のマーキングペン用ペン芯。
【請求項４】
前記中空焼結部の外形が多角形等の異型である請求項１乃至３のいずれかに記載のマーキングペン用ペン芯。
【発明の詳細な説明】
【０００１】
【発明の属する技術分野】
本発明はマーキングペン用ペン芯、より詳細には、太線筆記用、殊に、複数の太さの異なる線を描き分けることができるマーキングペン用ペン芯に関するものである。
【０００２】
【従来の技術】
マーキングペンのペン先の断面を、各辺長の異なる多角形とした場合、ペン芯の角度を変えて多角形のいずれかの辺を選択することにより、当該辺の長さに対応する太さの線を描くことが可能となる。換言すれば、このようなペン芯を有するマーキングペンを用いた場合には、１本のマーキングペンで複数の太さの異なる線を描くことが可能となる。
【０００３】
上記のようなペン芯を一般的な繊維芯、即ち、糸状の繊維を束ねて棒状にしたものを研磨加工して製造する繊維芯とする場合、異型（多角形）加工が容易でないだけでなく、太線を描いたときに筆記ムラが出やすく、筆記方向に線ムラが発生しやすいという問題が起こる。
【０００４】
そこで、上記のようなペン芯は、プラスチックの微粒子を熱処理加工して製造する焼結芯とされることが多い。この焼結芯２１は、その下部がインク中綿２２内に埋入される（図４参照）。この焼結芯２１の場合は、太い線を描いても、繊維芯の様な線ムラが出にくく、ソフトタッチで滑らかに描くことが可能となる。
【０００５】
【発明が解決しようとする課題】
上述したように、太線筆記用マーキングペンのペン芯として焼結芯を用いた場合は、線ムラを起こすことなく太い線を描くことが可能であるが、焼結芯の場合は繊維芯に比較してインクフォロー（インクの伝わり）の点で劣るため、太い線を長く描く場合には、やはり線ムラが起こりやすくなる。
【０００６】
そこで本発明は、種々の太さの線を選択的に描くことができ、しかもインクフォローがよく、太い線を長く描いても、線ムラを起こすことのないマーキングペン用ペン芯を提供することを課題とする。
【０００７】
【課題を解決するための手段】
上記課題を解決するための本発明に係るマーキングペン用ペン芯は、下面を開口した中空状にて任意形状に焼結成形した中空焼結部を設け、前記中空焼結部の中空部に、繊維芯である中継芯の上部を嵌入して成る。
【０００８】
インク供給方式が中綿式の場合は、前記中継芯の下部がインク中綿内に埋入され、バルブ方式の場合は、前記中継芯の下部がバルブ機構の弁ケース内に臨むようにされる。
【０００９】
このペン芯によれば、インクは、インク中綿又はインクを貯溜する弁ケース内から中継芯に吸収され、中継芯から筆記部である中空焼結部に送られるが、中空焼結部は全体的に薄手となるため、インクフォローがよく、線ムラが起こりにくくなる。
【００１０】
【発明の実施の形態】
本発明の実施の形態を添付図面に依拠して説明する。図１は、本発明に係るペン芯１を用いた中綿式のマーキングペンの部分断面図であり、該マーキングペンは、ペン芯１を備えた軸２とキャップ３とから成る。
【００１１】
ペン芯１は、一般的な焼結成形法によって製造される中空焼結部４を有する。焼結成形法によった場合中空焼結部４は、異型（図示した例で六角形）に成形することが容易である。中空焼結部４は下面を開口した中空形状にされ、その中空部４ａに、繊維芯である中継芯５の上部が密に嵌入される。中継芯５の下部は、軸２内に延びるインク中綿６内に没入される。
【００１２】
かかる構成の焼結ペン芯１の場合、インクはインク中綿６から中継芯５に浸出し、中継芯５から中空焼結部４に浸出する。その際、中継芯５は繊維芯であるためにインクフォローがよく、その上部から、その上部が密着している中空焼結部４へとムラなく確実に浸出する。中空焼結部４は、中空とされることにより全体的に肉厚が薄くなるため、インクは、途切れることなく迅速且つ確実に、中空焼結部４の外表面に浸出する。従って、長く太い線を引くような場合にも、ペン芯１全体のインクフォローがよく、線ムラが出にくい。
【００１３】
図４は、本発明に係るペン芯を用いたバルブ式のマーキングペンの断面図で、それは、本発明に係るペン芯１とバルブ機構を備える。バルブ機構は、ペン芯１の中継芯５の端部を包むウレタンスポンジ７又はフェルトと、弁座８、弁ケース（バネ受け）９、弁芯（弁棒）１０及びバネ１１等から成る。
【００１４】
この場合も、バルブ機構の弁ケース９内のインクがそこに臨む中継芯５に浸透し、中継芯５から中空焼結部４に浸出するが、インクは上記同様の理由により、途切れることなく中空焼結部４の外表面に浸出するので、太い線を長く引いても、線ムラが出にくい。
【００１５】
【発明の効果】
本発明は上述した通りであって、筆記部となる中空焼結部が焼結芯であるために多角形その他種々の異型に製造することが容易で、中空焼結部が全体的に薄いためにその部分のインクフォローがよく、太い線を長く描いても線ムラが出にくく、滑らかに描くことができる効果がある。
【図面の簡単な説明】
【図１】本発明に係るペン芯を組み込んだマーキングペンの構成例を示す部分断面図である。
【図２】本発明に係るペン芯を組み込んだマーキングペンの構成例を示す平面図である（キャップを除いてある。）。
【図３】本発明に係るペン芯を組み込んだ中綿式マーキングペンの要部縦断面図である。
【図４】本発明に係るペン芯を組み込んだバルブ式マーキングペンの要部縦断面図である。
【図５】従来の焼結芯を示す縦断面図である。
【符号の説明】
１    ペン芯
２    軸
３    キャップ
４    中空焼結部
４ａ  中空部
５    中継芯
６    インク中綿
７    スポンジ
８    弁座
９    弁ケース
１０  弁芯
１１  バネ
【図１】
2004155148.tif 000003
【図２】
2004155148.tif 000004
【図３】
2004155148.tif 000005
【図４】
2004155148.tif 000006
【図５】
2004155148.tif 000007